(57)【要約】【課題】  軸受本体下半に保持されたパッドの一部分が水平分割面よりも上方に突出する構造を有するパッド型ジャーナル軸受のロータの設置作業の作業性を向上させる。【解決手段】  パッド型ジャーナル軸受は、下部が軸受台１６に載置されるとともに水平分割面１４で上下に二分割される軸受本体上半および軸受本体下半と、軸受本体上半および軸受本体下半の内周面に円周方向に複数配置されたパッド４とを備え、軸受本体下半の内周面に設けられたパッド４のうち水平分割面１４に隣接するパッド４の内周上端部は前記水平分割面よりも上方まで突出している。このような構成のパッド型ジャーナル軸受で、水平分割面１４に隣接するパッド４の内周上端部を半径方向外側に移動させる移動手段の取り付け座を軸受本体下半またはパッドの少なくともいずれかに設けたことを特徴とする。【選択図】  図１
2011064286.tif 000002
【特許請求の範囲】
【請求項１】
下部が軸受台に載置されるとともに、水平分割面で上下に二分割される軸受本体上半および軸受本体下半と、
前記軸受本体上半および軸受本体下半の内周面にそれぞれ点接触する支持部を備え、軸受本体上半および軸受本体下半の内周面の円周方向に複数配置されたパッドと、を備えるパッド型ジャーナル軸受において、
前記軸受本体下半の内周面に設けられた前記パッドのうち、前記水平分割面に隣接する前記パッドの内周上端部は前記水平分割面よりも上方まで突出してなり、かつ、  前記水平分割面に隣接する前記パッドの前記内周上端部を半径方向外側に移動させる移動手段の取り付け座を、前記軸受本体下半および前記水平分割面に隣接する前記パッドの少なくともいずれかに設けた、
ことを特徴とするパッド型ジャーナル軸受。
【請求項２】
請求項１記載のパッド型ジャーナル軸受において、前記取り付け座は、前記水平分割面に隣接する前記パッドの外周側上部に設けられたねじ穴であることを特徴とするパッド型ジャーナル軸受。
【請求項３】
請求項１記載のパッド型ジャーナル軸受において、前記取り付け座は、前記軸受本体下半の水平分割面近傍に設けられ、当該取り付け座に前記移動手段として磁石を取り付け可能に構成されることを特徴とするパッド型ジャーナル軸受。
【請求項４】
請求項１記載のパッド型ジャーナル軸受において、前記移動手段は引張バネであり、前記取り付け座は、前記水平分割面に隣接する前記パッドの上部外周面と前記軸受本体下半の内周面との両者に、前記引張バネを接続可能に設けられていることを特徴とするパッド型ジャーナル軸受。
【請求項５】
請求項１記載のパッド型ジャーナル軸受において、前記移動手段は圧縮バネであり、前記取り付け座は、前記水平分割面に隣接する前記パッドの下部外周面と前記軸受本体下半の内周面との両者に、前記引張バネを接続可能に設けられていることを特徴とするパッド型ジャーナル軸受。
【請求項６】
請求項１記載のパッド型ジャーナル軸受において、前記取り付け座は、前記軸受本体下半の内周面のうち前記水平分割面に隣接する前記パッドの下部外周面に対向する位置に貫通する穴を備えるとともに外周部に接続部が設けられた貫通孔であり、当該接続部には、前記移動手段として油圧系統および圧縮ガス系統の少なくともいずれかが接続可能に構成されていることを特徴とするパッド型ジャーナル軸受。
【請求項７】
下部が軸受台に載置されるとともに、水平分割面で上下に二分割される軸受本体上半および軸受本体下半と、
前記軸受本体上半および軸受本体下半の内周面にそれぞれ点接触する支持部を備え、軸受本体上半および軸受本体下半の内周面の円周方向に複数配置されたパッドと、
を備え、当該複数のパッドの内周にロータを支持するとともに、
前記軸受本体下半の内周面に設置される前記パッドのうち、前記水平分割面に隣接するパッドの内周上端部が前記水平分割面よりも上方に突出するパッド型ジャーナル軸受の組立方法において、
前記軸受台の上に載置された前記軸受本体下半に複数の前記パッドのうち当該軸受本体下半に支持される前記パッドが配置された状態とし、
前記ロータを前記パッドの内周の所定位置に吊り下ろし、
前記バッドが配置された前記軸受本体上半を前記水平分割面にて前記軸受本体下半に結合するとともに、
前記ロータを前記パッドの内周の所定位置に吊り下ろす間の少なくとも一時期に、前記軸受本体下半の、前記水平分割面に隣接する前記パッドの前記内周上端部を半径方向外側に移動させることを特徴とするパッド型ジャーナル軸受の組立方法。
【発明の詳細な説明】
【技術分野】
【０００１】
本発明は、大型の回転機械に用いられるパッド型ジャーナル軸受とその組立方法に係り、特にその組立性を改善したものに関する。
【背景技術】
【０００２】
タービン、発電機、電動機など大型の回転機械においては、ロータの荷重を支持するためにパッド型ジャーナル軸受が用いられる。
【０００３】
図７は、従来技術のパッド型ジャーナル軸受を示す模式図であり、（ａ）はロータの軸に垂直な平面での模式的断面図、（ｂ）はロータの軸中心を含む模式的子午断面図（（ａ）におけるＡ−Ａ断面図）である。
【０００４】
図７（ａ）（ｂ）に示すように、従来のパッド型ジャーナル軸受は、軸受本体上半２と軸受本体下半３の中に、複数（この例では５つ）のパッド４が保持されて構成されている。ここで、軸受本体上半２と軸受本体下半３とは、水平分割面１４で互いに結合されるようになっている。すなわち、軸受本体は水平分割面１４で上下に二分割される軸受本体上半２と軸受本体下半３を組み立てて構成されており、全体として、２点鎖線で示したロータ１を包囲する構成となっている。なお、軸受本体下半３は、軸受台１６の上に載置されている。
【０００５】
軸受本体上半２および軸受本体下半３の内周側に設けられる複数のパッド４はそれぞれ、その外周側面の周方向および軸方向の中心部付近に支持部５を備える。支持部５の外周面は球面状であり、支持部５の外周面と軸受本体上半２あるいは軸受本体下半３の内周面とが点接触することで、各パッド４はこの接触点を支点として揺動することができるようになっている。これにより、運転中に軸受に対するロータ１の軸のアライメントが多少ずれても各パッド４がこれに追従して安全に運転を継続することができる。
【０００６】
また、各パッド４の軸方向の両端部のうち、支持部５の外周面を構成する球面の中心に対応する位置には、それぞれ、各バッド４が円周方向に移動することを防止するための周り止めピン１０が設けられている。
【０００７】
そして、図７（ｂ）に示すように、軸受本体上半２および軸受本体下半３の軸方向の両端部には、それぞれ軸受本体側板１１が設けられている。軸受側板１１は、円周方向に分割された複数の部分からなり、全体として軸受本体上半２および軸受本体下半３の軸方向端部を全周に亘って覆うようになっている。また、各軸受側板１１は軸受本体上半２および軸受本体下半３の内周端よりも内周側に延長されて設けられているが、その内周端部は、各パッド４の内周面位置よりも外周側となっている。
【０００８】
また、軸受側板１１の、各パッド４の軸方向端部に設けられた上述の周り止めピン１０に対応する位置には凹部１２が設けられており、各パッド４の軸方向端部に設けられた周り止めピン１０はこの凹部に係合する。ここで、凹部１２の寸法は周り止めピン１０の寸法よりも大きく取られている。このような構成とすることで、周り止めピン１０を凹部１２に緩やかに係合させ、パッド４の支持部５を支点とした遥動を許容しながら周り止めピン１０をパッド４の円周方向への周り止めとして機能させることができる。
【０００９】
このような構成を有するパッド型ジャーナル軸受においては、運転中、パッド４の内周面に図示しない給油孔から潤滑油が供給される。これにより、ロータ１が回転すると、ロータ１と各パッド４との隙間に潤滑油が巻き込まれて油膜圧力が発生し、この油膜圧力によってロータ１の荷重が支持される。
【００１０】
ところで、このようなパッド型ジャーナル軸受の組立は次のようにして行なわれる。すなわち、まず、軸受台１６の上に軸受本体下半３を載置する。このとき、軸受本体下半３には、軸受本体下半３に支持部５が接触するパッド４と軸受側板１１を予め取り付けておく。なお、パッド４と軸受側板１１は軸受本体下半３を軸受台１６の上に載置してから取り付けることも可能である。
【００１１】
軸受台１６に載置された軸受本体下半３にパッド４と側板１２が取り付けられた状態で、次に、上方からロータ１を吊り下ろして軸受本体下半３に取り付けられたパッド４の内周部に設置する。そして、ロータ１を軸受本体下半３に吊り下ろして設置したあと、軸受本体上半２を軸受本体下半３と連結する。このとき、ロータ軸受本体上半２の内周部には、軸受本体上半２に支持部５が接触するパッド４と軸受側板１１を予め取り付けおく。このようにすることで、パッド型ジャーナル軸受の組立は行なわれる。
【００１２】
このようなパッド型ジャーナル軸受において、円周方向のパッド４の枚数、パッド４の円周方向長さ、また支持部５が設けられる円周方向位置などの寸法については、軸受の荷重負荷性能や振動特性を考慮して最適となるように設計される。
【００１３】
このとき、特にパッド４の枚数が奇数となるような場合では、図７に示すように、軸受本体下半３に保持されたパッド４の一部が水平分割面１４よりも上方（軸受本体上半２側）に突出する場合がある（例えば、特許文献１参照）。
【先行技術文献】
【特許文献】
【００１４】
【特許文献１】特開２００５−３６８４３号公報
【発明の概要】
【発明が解決しようとする課題】
【００１５】
しかしながら、図７に示したような、軸受本体下半３に保持されたパッド４の一部が水平分割面１４よりも上方（軸受本体上半２側）に突出する場合においては、パッド型ジャーナル軸受の組み立てが通常よりも困難となることがあった。この状況を図８および図９を参照して以下で説明する。
【００１６】
図８および図９は、それぞれ図７乃至図８のパッド型ジャーナル軸受を組み立てる途中の様子を模式的に示す、図７乃至図８（ａ）同様なロータの軸に垂直な断面図である。なお、図８および図９において、図７乃至図８と同一の構成については同一の符号を付している。
【００１７】
すなわち、図８に示すように、パッド４および軸受側板１１の取り付けられた軸受本体下半３が軸受台１６に載置された状態、すなわち、上方からロータ１を吊り下ろしてくる時点では、水平分割面１４に隣接する両端のパッド４には自重１７によってそれぞれ、支持部５と軸受本体下半３の内周面との接触点回りのモーメントが作用する。このため、水平分割面１４に隣接する両端のパッド４はそれぞれ、その外周側の下端部である鉛直方向最下点１８が軸受本体下半３の内周面に接触するように傾く。このとき、これらの水平分割面１４に隣接する両端のパッド４の内周面の半径方向位置は、その内周上端部２０において最も内周側に位置することとなる。
【００１８】
したがってロータ１を上方から吊り下ろして設置するにあたって最も狭い部分は、水平分割面１４に隣接する両端のパッド４の内周上端部２０間の距離Ｌとなる。この距離Ｌについては、図８に示すように、場合によってはロータ１の直径Ｄよりも小さくなる。
【００１９】
そして、図８に示したように、距離Ｌがロータ１の直径Ｄよりも小さい場合には、ロータ１を軸受本体下半３の内部に吊り下ろしていく途中で、図９に示すようにロータ１の外周面が水平分割面１４に隣接する両端のパッド４の内周上端部２０に接触する。
【００２０】
なお、この、パッド４の内周上端部２０とロータ外周面との接触状態から更にロータ１を吊り下ろすと、パッド４が支持部５と軸受本体下半３の内周面との接触点を支点として動いて内周上端部２０間の距離Ｌが広がるため、最終的にはロータ１をパッド４の内周側の所定位置に設置することが可能である。
【００２１】
図９に示す、ロータ１を軸受本体下半３の内部に吊り下ろし、その外周面を水平分割面１４に隣接する両端のパッド４の内周上端部２０に接触させるときにはできる限りゆっくりと接触させる必要がある。しかしながら、ロータ１はクレーンによって吊り下ろされるため、クレーンの誤操作などでロータ１が揺れ動き、これによって軸受面となるパッド４の内周面およびロータ１の外周面に損傷を与えてしまう虞があり、このためにロータ１の吊り下ろし作業には細心の注意が必要とされる、という課題があった。
【００２２】
本発明は、このような課題を解決するためになされたものであり、軸受本体下半３に保持されたパッド４の一部分が水平分割面１４よりも上方に突出する構造を有するパッド型ジャーナル軸受であっても、ロータ１の設置作業の作業性を向上させることができるパッド型ジャーナル軸受を提供することをその目的とする。
【課題を解決するための手段】
【００２３】
上記課題を解決するために、本発明のパッド型ジャーナル軸受は、ことを特徴とする。
【００２４】
上記課題を解決するために、本発明のパッド型ジャーナル軸受の組み立て方法は、ことを特徴とする。
【発明の効果】
【００２５】
本発明によれば、軸受本体下半に保持されたパッド４の一部分が水平分割面よりも上方に突出する構造を有するパッド型ジャーナル軸受であっても、ロータの設置作業の作業性を向上させることができる。
【図面の簡単な説明】
【００２６】
【図１】本発明の第１の実施の形態に係るパッド型ジャーナル軸受を組み立てる途中の様子を模式的に示す、ロータの軸に垂直な断面図。
【図２】本発明の第２の実施の形態に係るパッド型ジャーナル軸受を組み立てる途中の様子を模式的に示す、ロータの軸に垂直な断面図。
【図３】本発明の第３の実施の形態に係るパッド型ジャーナル軸受を組み立てる途中の様子を模式的に示す、ロータの軸に垂直な断面図。
【図４】本発明の第４の実施の形態に係るパッド型ジャーナル軸受を組み立てる途中の様子を模式的に示す、ロータの軸に垂直な断面図。
【図５】本発明の第５の実施の形態に係るパッド型ジャーナル軸受を組み立てる途中の様子を模式的に示す、ロータの軸に垂直な断面図。
【図６】本発明の第６の実施の形態に係るパッド型ジャーナル軸受を組み立てる途中の様子の模式図であり、（ａ）はロータの軸に垂直な断面図、（ｂ）は（ａ）のＥ−Ｅ矢視断面図。
【図７】従来技術のパッド型ジャーナル軸受を示す模式図であり、（ａ）はロータの軸に垂直な平面での模式的断面図、（ｂ）はロータの軸中心を含む模式的子午断面図。
【図８】図７のパッド型ジャーナル軸受を組み立てる途中の様子を模式的に示す、ロータの軸に垂直な断面図。
【図９】図７のパッド型ジャーナル軸受を組み立てる途中の様子を模式的に示す、ロータの軸に垂直な断面図。
【発明を実施するための形態】
【００２７】
以下本発明の実施の形態について図面を参照して説明する。
【００２８】
図１は、本発明の第１の実施の形態に係るパッド型ジャーナル軸受の組み立てる途中の様子を示す、図７乃至図８（ａ）と同様なロータの軸に垂直な断面図である。なお、本実施形態に係るパッド型ジャーナル軸受も組み立てが完了した後は図７乃至図８（ａ）に示した従来のパッド型ジャーナル軸受と同様な構成となることから、図１においては図７乃至図８と同一の構成については同一の符号を付しその詳細な説明を省略する。
【００２９】
図１に示すように、本実施の形態に係るパッド型ジャーナル軸受においても、軸受本体下半３の内周面に設けられたパッド４のうち、水平分割面１４に隣接するパッド４の内周上端部２０は水平分割面１４よりも上方まで突出している。そして本実施の形態においては、これらの、水平分割面１４に隣接するパッド４に、その内周上端部２０を半径方向外側に移動させる移動手段としての取っ手２７を取り付ける取り付け座５０が設けられている。本実施の形態においては、この取り付け座５０は、水平分割面１４に隣接するパッド４の、水平分割面１４より上方に飛び出した部分（上部）の外周側に設けられている。
【００３０】
このような構成により、パッド４および軸受側板１１の取り付けられた軸受本体下半３を軸受台１６に載置した時点で、水平分割面１４に隣接するパッド４の取り付け座５０に移動手段である取っ手２７を取り付けることが可能となる。そして、この状態で、上方からロータ１を吊り下ろしてくる際に、図１に示したとおり、取っ手２７を半径方向外側に引っ張ることにより、水平分割面１４に隣接するパッド４の内周上端部２０を半径方向外側に移動させる。
【００３１】
これにより、水平分割面１４に隣接するパッド４の傾きが拘束され、水平分割面１４に隣接する両端のパッド４の内周上端部２０間の距離Ｌを、図８に示した距離よりも大きく取り、ロータ１の直径Ｄよりも大きくすることができる。
【００３２】
この状態で、ロータ１を上方から吊り下ろして受本体下半３に取り付けられたパッド４の内周部に設置する。ロータ１を吊り下ろす途中で、水平分割面１４に隣接する両端のパッド４の内周下端部と接触することとなるが、この際にはロータ１をゆっくり接触するように吊り下ろすか、あるいは取っ手２７を半径方向外側に引っ張っている力を徐々に緩めて半径方向内側に移動させることで、軸受面となるパッド４の内周面およびロータ１の外周面に損傷を与えずにロータ１をパッド４の内周部に設置することができる。
【００３３】
なお、ロータ１を吊り下ろす途中で、取っ手２７を半径方向外側に引っ張っている力を徐々に緩めて半径方向内側に移動させる場合、ロータ１の鉛直方向の最下点２８がパッド４の内周上端部２０よりも下に来た後に行なうようにする。これは、ロータ１の鉛直方向の最下点２８がパッド４の内周上端部２０よりも下に来ていれば、クレーンの誤操作などによりロータ１が揺れたとしても、水平分割面１４に隣接するパッド４の上端面や外周面にロータ１が衝突する可能性は無いためである。
【００３４】
あるいは、ロータ１の鉛直方向の最下点２８がパッド４の内周上端部２０よりも下方に位置していれば、取っ手２７を半径方向外側に引っ張っている力を徐々に緩めて半径方向内側に移動させるのではなく、単純に取っ手２７を半径方向外側に引っ張る力を解放し、水平分割面１４に隣接するパッド４の傾きの拘束を除いてもよい。
【００３５】
このようにして、ロータ１を軸受本体下半３、すなわちに受本体下半３に取り付けられたパッド４の内周部に吊り下ろして設置したあと、水平分割面１４に隣接する両端のパッド４の外周面に取り付けられた取っ手２７を取り付け座５０取り外す。そして、この状態から従来と同様な手順で、残りのパッド４がその内周部に取り付けられた軸受本体上半２を軸受本体下半３と連結し、軸受の組み立てを完成させる。
【００３６】
このように、本実施の形態によれば、水平分割面１４に隣接する両端のパッド４が、その上部の外周側に取っ手２７の取り付け座５０を備えることにより、ロータ１の吊り下ろし作業時に取り付け座５０に取っ手２７を取り付けてこれを半径方向外側に引っ張ることで、水平分割面１４に隣接する両端のパッド４の内周上端部２０間の距離Ｌを大きく取ることができる。
【００３７】
したがって、クレーンの誤操作などでロータ１が多少揺れ動いたとしても、軸受面となるパッド４の内周面およびロータ１の外周面に損傷を与えることを防止することができる。したがって、従来細心の注意を払って行なっていたため時間を要していたロータの吊り下ろし作業を比較的簡易に、また短時間で行なうことができる。
【００３８】
次に、本発明の第２の実施の形態について、図２を参照して以下に説明する。図２は、本発明の第２の実施の形態に係るパッド型ジャーナル軸受の組み立てる途中の様子を示す、ロータの軸に垂直な断面図である。なお、本実施形態に係るパッド型ジャーナル軸受も組み立てが完了した後は図７乃至図８（ａ）に示した従来のパッド型ジャーナル軸受と同様な構成となるものであり、図１、および図７乃至図８と同一の構成については同一の符号を付しその詳細な説明を省略する。
【００３９】
図２に示したように、本実施の形態においても、第１の実施の形態と同様に、ロータ１の吊り下ろし作業時に水平分割面１４に隣接する両端のパッド４の内周上端部２０を半径方向外側に移動させることで、水平分割面１４に隣接する両端のパッド４の内周上端部２０間の距離Ｌを大きく取って作業性を改善させたものである。
【００４０】
特に、本実施の形態は、水平分割面１４に隣接する両端のパッド４の外周部が鉄などの磁性体材料で形成されているものに好適である。
【００４１】
すなわち、本実施の形態においては、水平分割面１４に隣接するパッド４の内周上端部２０を半径方向外側に移動させる移動手段として磁石２９を用いるものであり、この磁石２９を取り付ける取り付け座５１を軸受本体下半３の水平分割面１４に設けたものである。
【００４２】
このような構成で、ロータ１を吊り下ろすに先立ち、磁石２９の磁力により、磁性体であるパッド４の外周側上部（水平分割面１４に隣接するパッド４の、水平分割面１４より上方に飛び出した部分）を吸着させて水平分割面１４に隣接するパッド４の内周上端部２０を半径方向外側に移動させる。そしてこの状態で、第１の実施の形態と同様に、ロータ１を上方から吊り下ろして受本体下半３に取り付けられたパッド４の内周部に設置する。
【００４３】
ロータ１を吊り下ろしていく過程で、ロータ１の鉛直方向の最下点２８がパッド４の内周上端部２０よりも下方に位置するようになったら、取り付け座５１から磁石２９を取り外し、水平分割面１４に隣接するパッド４の傾きが拘束されないようにする。第１の実施の形態と同様、この時点では水平分割面１４に隣接するパッド４の上端面や外周面にロータ１が衝突する可能性は無いため、クレーンの誤操作によりロータ１が揺れても軸受面となるパッド４の内周面およびロータ１の外周面に損傷を与えずにロータ１をパッド４の内周部に設置することができる。
【００４４】
このように、本実施の形態によっても、第１の実施の形態と同様の作用効果を奏することが可能である。
【００４５】
次に、本発明の第３の実施の形態について、図３を参照して以下に説明する。図３は、本発明の第３の実施の形態に係るパッド型ジャーナル軸受の組み立てる途中の様子を示す、ロータの軸に垂直な断面図である。なお、図１、図２、および図７乃至図８と同一の構成については同一の符号を付しその詳細な説明を省略する。
【００４６】
図３に示したように、本実施の形態においても、第１、第２の実施の形態と同様に、ロータ１の吊り下ろし作業時に水平分割面１４に隣接する両端のパッド４の内周上端部２０を半径方向外側に移動させることで、水平分割面１４に隣接する両端のパッド４の内周上端部２０間の距離Ｌを大きく取って作業性を改善させたものであるが、本実施の形態では、水平分割面１４に隣接するパッド４の内周上端部２０を半径方向外側に移動させる移動手段として引張バネ３０を用いるものである。
【００４７】
そして、水平分割面１４に隣接する両端のパッド４の外周側と軸受本体下半３の内周側には、それぞれこの引張バネ３０を取り付けるための取り付け座５２，５３を設けている。ここで、この取り付け座５２，５３の位置は、水平分割面１４に隣接する両端のパッドの支持部５より上側とすればよく、このようにすることで引張バネ３０により水平分割面１４に隣接するパッド４の内周上端部２０を半径方向外側に移動させることが可能となる。
【００４８】
このような構成によっても、第１、第２の実施の形態と同様な作用効果を奏することが可能である。
【００４９】
さらに、本発明の第４の実施の形態について、図４を参照して以下に説明する。図４は、本発明の第４の実施の形態に係るパッド型ジャーナル軸受の組み立てる途中の様子を示す、ロータの軸に垂直な断面図である。なお、図１乃至図３、および図７乃至図８と同一の構成については同一の符号を付しその詳細な説明を省略する。
【００５０】
図３に示した第３の実施の形態と同様、本実施の形態においても、水平分割面１４に隣接するパッド４の内周上端部２０を半径方向外側に移動させる移動手段としてバネを利用するものであるが、第３の実施の形態においては引張バネ３０を用いたのに対して、本実施の形態においては圧縮バネ３２を用いている点が異なっている。
【００５１】
すなわち、本実施の形態においても、水平分割面１４に隣接する両端のパッド４の外周側と軸受本体下半３の内周側に、それぞれ圧縮バネ３２を取り付けるための取り付け座５４，５５が設けられているが、これらの、圧縮バネ３２を取り付ける取り付け座５４，５５は、水平分割面１４に隣接する両端のパッドの支持部５よりも下側に設けられている。このような構成により、圧縮バネ３２により水平分割面１４に隣接するパッド４の内周上端部２０を半径方向外側に移動させている。
【００５２】
このように第４の実施の形態によっても、第１乃至第３の実施の形態と同様な作用効果を奏することができる。
【００５３】
なお、図３に示した第３の実施の形態、また図４に示した第４の実施の形態は、いずれも引張バネ３０や圧縮バネ３２により水平分割面１４に隣接する両端のパッド４の内周上端部２０を半径方向外側に移動させるものであるが、これらの構成とする場合、ロータ１を吊り下ろす途中で、ロータ１が水平分割面１４に隣接する両端のパッド４の内周下端部などと接触しても、ロータ１の自重により引張バネ３０や圧縮バネ３２が変位するので比較的容易にロータ１をパッド４の内側の所定位置に収めることができる。
【００５４】
すなわち、これらの実施の形態における引張バネ３０や圧縮バネ３２については、バネの引張力や押圧力による支持部５まわりのモーメントが、パッド４の自重による支持部５まわりのモーメントを上回り、かつできるだけ小さくなるように決定することが望ましい。なお、ロータ１をパッド４の内側の所定位置に収めた後で、引張バネ３０や圧縮バネ３２はそれぞれ取り付け座５２，５３，５４，および５５から取り外す。
【００５５】
次に、本発明の第５の実施の形態について、図５を参照して以下に説明する。図５は、本発明の第５の実施の形態に係るパッド型ジャーナル軸受の組み立てる途中の様子を示す、ロータの軸に垂直な断面図である。なお、図１乃至図４、および図７乃至図９と同一の構成については同一の符号を付しその詳細な説明を省略する。
【００５６】
本実施の形態においては、第４の実施の形態における圧縮バネ３２に代えて、水平分割面１４に隣接する両端のパッド４の下部を上方に押し上げる調整用ボルト３５を、水平分割面１４に隣接するパッド４の内周上端部２０を半径方向外側に移動させる移動手段として設けたものである。
【００５７】
ここで、移動手段としての調整用ボルト３５は、軸受本体下半３の外側から半径方向に貫通するねじ穴として構成された取り付け座５６に取り付けられており、その先端部に突起３４が設けられている。そして、調整用ボルト３５をねじ穴に取り付けて回転させることで、突起３４の先端部の半径方向位置を調整することができるようになっている。すなわち、調整用ボルト３５の取り付け座５６は、水平分割面１４に隣接する両端のパッド４の支持部５よりも下方の軸受本体下半３に設けられている。
【００５８】
この構成により、ロータ１を上方から吊り下ろして軸受本体下半３に取り付けられたパッド４の内周部に設置するに先立ち、調整用ボルト３５を回転させて突起３４の先端部を半径方向内側に配置させることで水平分割面１４に隣接する両端のパッド４の内周上端部２０を半径方向外側に移動させる。
【００５９】
ロータ１を吊り下ろす途中で、水平分割面１４に隣接する両端のパッド４の内周下端部と接触することとなるが、このとき調整用ボルト３５を、突起３４が半径方向外側に移動するように徐々に回転させることで、軸受面となるパッド４の内周面およびロータ１の外周面に損傷を与えずにロータ１をパッド４の内周部に設置することができる。
【００６０】
あるいは、ロータ１の鉛直方向の最下点２８がパッド４の内周上端部２０よりも下方に位置した時点で、調整用ボルト３５を取り付け座５６から取り外し、水平分割面１４に隣接するパッド４の傾きの拘束を除いてもよい。
【００６１】
このようにすることでも、第１乃至第４の実施の形態と同様な作用効果を奏することが可能である。
【００６２】
なお、本実施の形態では、ロータ１を軸受本体下半３、すなわちに受本体下半３に取り付けられたパッド４の内周部に吊り下ろして設置したあと、残りのパッド４がその内周部に取り付けられた軸受本体上半２を軸受本体下半３と連結し、軸受の組み立てを完成させる際に、取り付け座５６に図示しない止めボルトを取り付けるようにすれば、運転中の軸受本体下半３からの油漏れを防ぐことが可能となる。
【００６３】
さらに、本発明の第６の実施の形態について、図６を参照して以下に説明する。図６は、本発明の第６の実施の形態に係るパッド型ジャーナル軸受を組み立てる途中の様子の模式図であり、（ａ）はロータの軸に垂直な断面図、（ｂ）は（ａ）のＥ−Ｅ矢視断面図である。なお、図１乃至図５、および図７乃至図８と同一の構成については同一の符号を付しその詳細な説明を省略する。
【００６４】
図８（ａ），（ｂ）に示すとおり、本実施の形態においては、水平分割面１４に隣接する両端のパッド４の下部を上方に押し上げ、これらパッド４の内周上端部２０を半径方向外側に移動させるため、これらパッド４の支持部５よりも下方の軸受本体下半３の内周面に、軸受潤滑油あるいは圧縮空気の噴出口３６を設けている。
【００６５】
この噴出孔３６は、水平分割面１４に隣接する両端のパッド４の下部を上方に押し上げるように、対向するパッド４の外周面に、半径方向内側に向かって軸受潤滑油あるいは圧縮空気を噴出可能に構成されている。そして、噴出孔３６は軸受本体下半３の内部を貫通し、本実施の形態においては軸受本体下半３の側面に開口している。そして、軸受本体下半３の側面の開口には、図示しない潤滑油系統あるいは圧縮空気系統を接続するための取り付け座５７が設けられている。
【００６６】
すなわち、本実施の形態においては、高圧の流体を供給可能な図示しない潤滑油系統や圧縮空気系統を水平分割面１４に隣接する両端のパッド４の内周上端部２０を半径方向外側に移動させるため移動手段として用いるものである。
【００６７】
このような構成によっても、ロータ１を上方から吊り下ろして軸受本体下半３に取り付けられたパッド４の内周部に設置する際に、潤滑油系統や圧縮空気系統を取り付け座５７に接続することで水平分割面１４に隣接する両端のパッド４の内周上端部２０を半径方向外側に移動させることができる。
【００６８】
ロータ１を吊り下ろす途中で、水平分割面１４に隣接する両端のパッド４の内周下端部と接触することとなるが、このときロータ１の自重によりパッド４が変位するので、比較的容易にロータ１をパッド４の内側の所定位置に収めることができる。
【００６９】
あるいは、ロータ１の鉛直方向の最下点２８が、水平分割面１４に隣接するパッド４の内周上端部２０よりも下に来た後は、潤滑油系統を取り付け座５７から取り外して噴出口３６からの噴射を停止しても構わない。
【００７０】
なお、パッド４の内面には運転中に潤滑油が存在することとなるので、移動手段として潤滑油系統を用いる場合であっても、使用した潤滑油を回収・除去する必要は特に生じない。
【符号の説明】
【００７１】
１…ロータ
２…軸受本体上半
３…軸受本体下半
４…パッド
５…支持部
１０…周り止めピン
１１…軸受側板
１２…凹部
１４…水平分割面
１６…軸受台
１７…パッドの自重
１８…鉛直方向最下点
２０…内周上端部
２６…回り止めピン
２７…取っ手
２９…磁石
３０…引張バネ
３２…圧縮バネ
３４…突起
３５…調整用ボルト
３６…噴出口
５０，５１，５２，５３，５４，５５，５６，５７…取り付け座
【図１】
2011064286.tif 000003
【図２】
2011064286.tif 000004
【図３】
2011064286.tif 000005
【図４】
2011064286.tif 000006
【図５】
2011064286.tif 000007
【図６】
2011064286.tif 000008
【図７】
2011064286.tif 000009
【図８】
2011064286.tif 000010
【図９】
2011064286.tif 000011